【手続補正書】
【提出日】平成17年1月11日(2005.1.11)
【手続補正１】
【補正対象書類名】明細書
【補正対象項目名】発明の名称
【補正方法】変更
【補正の内容】
【発明の名称】交通機関案内装置および方法
【手続補正２】
【補正対象書類名】明細書
【補正対象項目名】特許請求の範囲
【補正方法】変更
【補正の内容】
【特許請求の範囲】
【請求項１】
出発地に関連する情報と目的地に関連する情報とを入力する入力手段と、
少なくとも交通機関の運行時刻データと交通機関の乗換えに要する乗換時間データとを記憶したデータ記憶手段と、
出発地から目的地に至る交通経路の探索における探索条件を前記入力手段によって設定する探索条件設定手段と、
設定された前記探索条件を加味して、前記データ記憶手段に記憶されたデータに基づいて、出発地から目的地に至る交通経路を探索するルート探索手段と、
前記ルート探索手段により探索された交通経路に関する情報を表示する表示手段とを備えることを特徴とする交通機関案内装置。
【請求項２】
前記探索条件として、所要時間が短い交通経路を優先する時間条件を設定可能であることを特徴とする請求項１に記載の交通機関案内装置。
【請求項３】
前記データ記憶手段は、交通機関の料金を示す料金データをも記憶し、
前記探索条件として、料金が安い交通経路を優先する料金条件を設定可能であることを特徴とする請求項１または２に記載の交通機関案内装置。
【請求項４】
目的地への到着時刻を前記入力手段によって入力する到着時刻入力手段を備え、
前記探索条件として、前記到着時刻に目的地に到着する交通経路を優先する到着到着時刻条件を設定可能であることを特徴とする請求項１〜３のいずれか１つに記載の交通機関案内装置。
【請求項５】
入力された出発地と目的地とに関連する情報を前記入力手段によって確定する入力確定手段を備え、
前記ルート探索手段は、前記入力確定手段により確定された出発地と目的地とに関連する情報に基づいて、出発地から目的地に至る交通経路を探索することを特徴とする請求項１〜４のいずれか１つに記載の交通機関案内装置。
【請求項６】
前記ルート探索手段は、現在地から出発地までに要する所要時間を加味して、出発地から目的地に至る交通経路を探索することを特徴とする請求項１〜５のいずれか１つに記載の交通機関案内装置。
【請求項７】
前記交通経路の再探索指示を前記入力手段によって入力する再探索指示入力手段を備え、
前記ルート探索手段は、前記再探索指示が入力された場合に、目的地に至る交通経路を再探索することを特徴とする請求項１〜６のいずれか１つに記載の交通機関案内装置。
【請求項８】
前記再探索における再探索条件を前記入力手段によって入力する再探索条件入力手段を備え、
前記ルート探索手段は、前記再探索条件入力手段により入力された再探索条件を加味して、目的地に至る交通経路を再探索することを特徴とする請求項７に記載の交通機関案内装置。
【請求項９】
前記再探索条件は、少なくとも現時点で利用している交通機関の利用を開始した利用駅名、および利用駅において利用開始した交通機関の出発時刻であることを特徴とする請求項８に記載の交通機関案内装置。
【請求項１０】
前記表示手段により表示される交通機関に関する情報は、前記交通経路における利用駅名、およびその利用駅における出発時刻または到着時刻の少なくとも一つであることを特徴とする請求項１〜９のいずれか１つに記載の交通機関案内装置。
【請求項１１】
前記入力手段は、前記ルート探索手段により探索された交通経路に関する情報の表示を通常表示と詳細表示とに切換える表示切換手段を備えることを特徴とする請求項１〜１０のいずれか１つに記載の交通機関案内装置。
【請求項１２】
出発地に関連する情報と目的地に関連する情報と出発地から目的地に至る交通経路の探索における探索条件とを取得する探索情報取得ステップと、
前記探索条件を加味して、少なくとも交通機関の運行時刻データと交通機関の乗換時間データとに基づいて、出発地から目的地に至る交通経路を探索するルート探索ステップと、
前記ルート探索ステップにおいて探索された交通経路に関する情報の表示出力を行う表示出力ステップとを含むことを特徴とする交通機関案内方法。
【請求項１３】
前記探索情報取得ステップにおいて、探索条件として、所要時間が短い交通経路を優先する時間条件を取得することを特徴とする請求項１２に記載の交通機関案内方法。
【請求項１４】
前記検索情報取得ステップにおいて、探索条件として、料金が安い交通経路を優先する料金条件を取得し、
前記ルート探索ステップにおいて、前記探索条件を加味して、少なくとも交通機関の運行時刻データと交通機関の乗換時間データと交通機関の料金を示す料金データとに基づいて、出発地から目的地に至る交通経路を探索することを特徴とする請求項１２または１３に記載の交通機関案内方法。
【請求項１５】
前記検索情報取得ステップにおいて、探索条件として、目的地への到着時刻と該到着時刻に目的地に到着する交通経路を優先する到着到着時刻条件を取得することを特徴とする請求項１２〜１４のいずれか１つに記載の交通機関案内方法。
【請求項１６】
入力された出発地に関連する情報と目的地に関連する情報とを確認する入力確認ステップをさらに備え、
前記ルート探索ステップにおいて、前記入力確認ステップで確認された出発地と目的地とに関連する情報に基づいて、出発地から目的地に至る交通経路を探索することを特徴とする請求項１２〜１５のいずれか１つに記載の交通機関案内方法。
【請求項１７】
前記ルート探索ステップにおいて、現在地から出発地までに要する所要時間を加味して、出発地から目的地に至る交通経路を探索することを特徴とする請求項１２〜１６のいずれか１つに記載の交通機関案内方法。
【請求項１８】
再探索指示を取得する再探索指示取得ステップと、
前記再探索指示を取得した場合に、目的地に至る交通経路を再探索する再探索ステップとを、さらに備えることを特徴とする請求項１２〜１７のいずれか１つに記載の交通機関案内方法。
【請求項１９】
再探索条件を取得する再探索条件取得ステップをさらに備え、
前記再探索ステップにおいて、前記再探索条件を加味して、目的地に至る交通経路を再探索することを特徴とする請求項１８に記載の交通機関案内方法。
【請求項２０】
前記再探索条件は、少なくとも現時点で利用している交通機関の利用を開始した利用駅名、および利用駅において利用開始した交通機関の出発時刻であることを特徴とする請求項１９に記載の交通機関案内方法。
【請求項２１】
前記表示出力ステップにおいて表示出力される交通経路に関する情報は、前記交通経路における利用駅名、およびその利用駅における出発時刻または到着時刻の少なくとも一つであることを特徴とする請求項１２〜２０のいずれか１つに記載の交通機関案内方法。
【請求項２２】
前記ルート探索ステップにおいて探索された交通経路に関する情報の表示出力を通常表示出力と詳細表示出力とに切換える表示切換ステップをさらに備えることを特徴とする請求項２１に記載の交通機関案内方法。
【手続補正３】
【補正対象書類名】明細書
【補正対象項目名】０００１
【補正方法】変更
【補正の内容】
【０００１】
【発明の属する技術分野】
本発明は、入力された出発地と目的地に基づいて目的地までの交通機関の経路を探索する交通機関案内装置および方法に関する。
【手続補正４】
【補正対象書類名】明細書
【補正対象項目名】０００５
【補正方法】変更
【補正の内容】
【０００５】
本発明の目的は、交通機関の運行時刻に加えて交通機関の乗換時間をも考慮した交通機関案内装置および方法を提供することである。
【手続補正５】
【補正対象書類名】明細書
【補正対象項目名】０００６
【補正方法】変更
【補正の内容】
【０００６】  
【課題を解決するための手段】
本発明は、出発地に関連する情報と目的地に関連する情報とを入力する入力手段と、
少なくとも交通機関の運行時刻データと交通機関の乗換えに要する乗換時間データとを記憶したデータ記憶手段と、
出発地から目的地に至る交通経路の探索における探索条件を前記入力手段によって設定する探索条件設定手段と、
設定された前記探索条件を加味して、前記データ記憶手段に記憶されたデータに基づいて、出発地から目的地に至る交通経路を探索するルート探索手段と、
前記ルート探索手段により探索された交通経路に関する情報を表示する表示手段とを備えることを特徴とする交通機関案内装置である。
本発明に従えば、交通機関案内装置は、入力手段と、データ記憶手段と、探索条件設定手段と、ルート探索手段と、表示手段とを備える。入力手段には、出発地に関連する情報と目的地に関連する情報とを入力する。データ記憶手段には、少なくとも交通機関の運行時刻データと交通機関の乗換えに要する乗換時間データとが記憶される。探索条件設定手段には、出発地から目的地に至る交通経路の探索における探索条件が入力手段によって設定される。ルート探索手段は、設定された探索条件を加味して、データ記憶手段に記憶されたデータに基づいて、出発地から目的地に至る交通経路を探索する。表示手段は、ルート探索手段により探索された交通経路に関する情報を表示する。少なくとも運行時刻データと乗換時間データと設定された探索条件とを加味して交通経路を探索し、探索された交通経路に関する情報を表示することができるので、交通機関の運行時刻に加えて交通機関の乗換時間も考慮して交通機関を案内することができる。運行時刻データおよび乗換時間データに基づいて交通経路が探索されるので、探索された交通経路は乗換時間も含めた交通経路となり、実状に沿った信頼性の高いものとなる。
また本発明は、前記探索条件として、所要時間が短い交通経路を優先する時間条件を設定可能であることを特徴とする。
本発明に従えば、所要時間を加味して、所要時間が短い交通経路を優先して探索することができる。
また本発明で、前記データ記憶手段は、交通機関の料金を示す料金データをも記憶し、
前記探索条件として、料金が安い交通経路を優先する料金条件を設定可能であることを特徴とする。
本発明に従えば、データ記憶手段に記憶されている料金データを加味して交通経路を探索することができる。
また本発明は、目的地への到着時刻を前記入力手段によって入力する到着時刻入力手段を備え、
前記探索条件として、前記到着時刻に目的地に到着する交通経路を優先する到着到着時刻条件を設定可能であることを特徴とする。
本発明に従えば、到着時刻入力手段に入力される目的地への到着時刻を加味して交通経路を探索することができる。
また本発明は、入力された出発地と目的地とに関連する情報を前記入力手段によって確定する入力確定手段を備え、
前記ルート探索手段は、前記入力確定手段により確定された出発地と目的地とに関連する情報に基づいて、出発地から目的地に至る交通経路を探索することを特徴とする。
本発明に従えば、出発地等を入力してすぐに探索を開始するのではなく、入力した内容を確定した後に探索を開始することができる。
また本発明で、前記ルート探索手段は、現在地から出発地までに要する所要時間を加味して、出発地から目的地に至る交通経路を探索することを特徴とする。
本発明に従えば、現在地から乗車駅などの出発地までに要する時間を加味して、交通経路を探索することができる。
【手続補正６】
【補正対象書類名】明細書
【補正対象項目名】０００７
【補正方法】変更
【補正の内容】
【０００７】
また本発明で、前記交通経路の再探索指示を前記入力手段によって入力する再探索指示入力手段を備え、
前記ルート探索手段は、前記再探索指示が入力された場合に、目的地に至る交通経路を再探索することを特徴とする。
本発明に従えば、再探索指示入力手段に再探索指示を入力すれば、ルート探索手段が目的地に至る交通経路を再探索することができる。
また本発明で、前記再探索における再探索条件を前記入力手段によって入力する再探索条件入力手段を備え、
前記ルート探索手段は、前記再探索条件入力手段により入力された再探索条件を加味して、目的地に至る交通経路を再探索することを特徴とする。
本発明に従えば、再探索条件入力手段に再探索条件を入力すると、ルート探索手段に再探索を行わせることができる。
また本発明で、前記再探索条件は、少なくとも現時点で利用している交通機関の利用を開始した利用駅名、および利用駅において利用開始した交通機関の出発時刻であることを特徴とする。
本発明に従えば、再探索条件として利用駅名および出発時刻を入力することができる。
また本発明で、前記表示手段により表示される交通機関に関する情報は、前記交通経路における利用駅名、およびその利用駅における出発時刻または到着時刻の少なくとも一つであることを特徴とする。
本発明に従えば、表示手段に表示させる交通経路に関する情報を、交通経路における利用駅名、およびその利用駅における出発時刻または到着時刻の少なくとも一つとすることができる。
また本発明で、前記入力手段は、前記ルート探索手段により探索された交通経路に関する情報の表示を通常表示と詳細表示とに切換える表示切換手段を含むことを特徴とする。
本発明に従えば、探索された交通経路の表示を通常表示から詳細表示に、またはその逆に切換えることができる。
【手続補正７】
【補正対象書類名】明細書
【補正対象項目名】０００８
【補正方法】変更
【補正の内容】
【０００８】
さらに本発明は、出発地に関連する情報と目的地に関連する情報と出発地から目的地に至る交通経路の探索における探索条件とを取得する探索情報取得ステップと、
前記探索条件を加味して、少なくとも交通機関の運行時刻データと交通機関の乗換時間データとに基づいて、出発地から目的地に至る交通経路を探索するルート探索ステップと、
前記ルート探索ステップにおいて探索された交通経路に関する情報の表示出力を行う表示出力ステップとを含むことを特徴とする交通機関案内方法である。
本発明に従えば、探索情報取得ステップで取得される探索条件を加味して、ルート探索ステップでは、少なくとも交通機関の運行時刻データと交通機関の乗換時間データとに基づき、出発地から目的地に至る交通経路を探索することができる。運行時刻データおよび乗換時間データに基づいて交通経路が探索されるので、探索された交通経路は乗換時間も含めた交通経路となり、実状に沿った信頼性の高いものとなる。
また本発明は、前記探索情報取得ステップにおいて、探索条件として、所要時間が短い交通経路を優先する時間条件を取得することを特徴とする。
本発明に従えば、探索情報取得ステップで、所要時間が短い交通経路を優先する時間条件を取得し、所要時間を加味して交通経路を探索することができる。
また本発明は、前記検索情報取得ステップにおいて、探索条件として、料金が安い交通経路を優先する料金条件を取得し、
前記ルート探索ステップにおいて、前記探索条件を加味して、少なくとも交通機関の運行時刻データと交通機関の乗換時間データと交通機関の料金を示す料金データとに基づいて、出発地から目的地に至る交通経路を探索することを特徴とする。
本発明に従えば、検索情報取得ステップでは索条件として、料金が安い交通経路を優先する料金条件を取得し、ルート探索ステップでは、その検索条件を加味するので、料金が安い交通経路を検索することができる。
また本発明は、前記検索情報取得ステップにおいて、探索条件として、目的地への到着時刻と該到着時刻に目的地に到着する交通経路を優先する到着到着時刻条件を取得することを特徴とする。
本発明に従えば、検索情報取得ステップで、探索条件として、目的地への到着時刻と該到着時刻に目的地に到着する交通経路を優先する到着到着時刻条件を取得するので、到着時刻を加味して交通経路を探索することができる。
また本発明は、入力された出発地に関連する情報と目的地に関連する情報とを確認する入力確認ステップをさらに含み、
前記ルート探索ステップにおいて、前記入力確認ステップで確認された出発地と目的地とに関連する情報に基づいて、出発地から目的地に至る交通経路を探索することを特徴とする。
本発明に従えば、入力確認ステップで入力された出発地に関連する情報と目的地に関連する情報とを確認するので、出発地等を入力してすぐに探索を開始するのではなく、入力した内容を確認した後で探索を開始することができる。
また本発明は、前記ルート探索ステップにおいて、現在地から出発地までに要する所要時間を加味して、出発地から目的地に至る交通経路を探索することを特徴とする。
本発明に従えば、現在地から交通機関への乗車駅などの出発地までに要する所要時間を加味して、出発地から目的地に至る交通経路を探索することができる。
【手続補正８】
【補正対象書類名】明細書
【補正対象項目名】０００９
【補正方法】変更
【補正の内容】
【０００９】
また本発明は、再探索指示を取得する再探索指示取得ステップと、
前記再探索指示を取得した場合に、目的地に至る交通経路を再探索する再探索ステップとを、さらに含むことを特徴とする。
本発明に従えば、再探索指示取得ステップが再探索指示を取得すると、再探索ステップで目的地に至る交通経路を再探索することができる。
また本発明は、再探索条件を取得する再探索条件取得ステップをさらに含み、
前記再探索ステップにおいて、前記再探索条件を加味して、目的地に至る交通経路を再探索することを特徴とする。
本発明に従えば、再探索条件を入力すると再探索条件取得ステップで取得され、再探索ステップで再探索条件を加味した交通経路の再探索を行うようにすることができる。
また本発明で、前記再探索条件は、少なくとも現時点で利用している交通機関の利用を開始した利用駅名、および利用駅において利用開始した交通機関の出発時刻であることを特徴とする。
本発明に従えば、再検索条件として、少なくとも現時点で利用している交通機関の利用を開始した利用駅名、および利用駅において利用開始した交通機関の出発時刻を入力することができる。
また本発明は、前記表示出力ステップにおいて表示出力される交通経路に関する情報は、前記交通経路における利用駅名、およびその利用駅における出発時刻または到着時刻の少なくとも一つであることを特徴とする。
本発明に従えば、表示出力する交通経路に関する情報を、交通経路における利用駅名、およびその利用駅における出発時刻または到着時刻の少なくとも一つとすることができる。
また本発明は、前記ルート探索ステップにおいて探索された交通経路に関する情報の表示出力を通常表示出力と詳細表示出力とに切換える表示切換ステップをさらに含むことを特徴とする。
本発明に従えば、探索された交通経路の表示を、通常表示から詳細表示に、またはその逆に切換えることができる。
【手続補正９】
【補正対象書類名】明細書
【補正対象項目名】００３７
【補正方法】変更
【補正の内容】
【００３７】  
【発明の効果】
以上のように本発明によれば、少なくとも運行時刻データと乗換時間データと設定された探索条件とを加味して交通経路を探索し、探索された交通経路に関する情報を表示することができるので、交通機関の運行時刻に加えて交通機関の乗換時間も考慮して交通機関を案内することができる。運行時刻データおよび乗換時間データに基づいて交通経路が探索されるので、探索された交通経路は乗換時間も含めた交通経路となり、実状に沿った信頼性の高いものとなる。探索条件を加味して探索するので、たとえば探索条件に利用者の所望する経路を含めれば、利用者が所望する交通経路を優先して探索することできる。
また本発明によれば、探索条件として所要時間を加味し、所要時間が短い交通経路を優先して探索することができる。
また本発明によれば、探索条件として、データ記憶手段に記憶されている料金データを加味して、料金が安い交通経路を探索することができる。
また本発明によれば、目的地への到着時刻を加味して交通経路を探索することができる。
また本発明によれば、出発地等を入力してすぐに探索を開始するのではなく、入力した内容を確定した後に探索を開始することができる。
また本発明によれば、現在地から乗車駅などの出発地までに要する時間を加味して、交通経路を探索することができる。
【手続補正１０】
【補正対象書類名】明細書
【補正対象項目名】００３８
【補正方法】変更
【補正の内容】
【００３８】
また本発明によれば、再探索指示を入力すれば、目的地に至る交通経路を再探索することができる。たとえば、交通経路の途中において予定時間よりも遅れているとき等においては、再探索指示を入力することによって目的地までの交通経路を容易に再探索することができる。
また本発明によれば、再探索条件を入力して再探索を行わせることができる。
また本発明によれば、再探索条件として利用駅名および出発時刻を入力することができる。
また本発明によれば、表示手段に表示させる交通経路に関する情報を、交通経路における利用駅名、およびその利用駅における出発時刻または到着時刻の少なくとも一つとすることができる。乗換に要する時間（列車を待つ時間を含む）、目的地に到着する時刻、探索経路の途中の時刻等を容易に知ることができる。
また本発明によれば、探索された交通経路の表示を通常表示から詳細表示に、またはその逆に切換えることができる。
【手続補正１１】
【補正対象書類名】明細書
【補正対象項目名】００３９
【補正方法】変更
【補正の内容】
【００３９】
さらに本発明によれば、少なくとも交通機関の運行時刻データと交通機関の乗換時間データとに基づき、出発地から目的地に至る交通経路を探索することができる。運行時刻データおよび乗換時間データに基づいて交通経路が探索されるので、探索された交通経路は乗換時間も含めた交通経路となり、実状に沿った信頼性の高いものとなる。
また本発明によれば、所要時間が短い交通経路を優先するように、所要時間を加味して交通経路を探索することができる。
また本発明によれば、料金が安い交通経路を優先するように、料金を加味して、交通経路を検索することができる。
また本発明によれば、目的地への到着時刻と該到着時刻に目的地に到着する交通経路を優先するように、到着時刻を加味して交通経路を探索することができる。
また本発明によれば、出発地に関連する情報と目的地に関連する情報とを確認してから、交通経路の探索を開始することができる。
また本発明によれば、現在地から交通機関への乗車駅などの出発地までに要する所要時間を加味して、出発地から目的地に至る交通経路を探索することができる。
【手続補正１２】
【補正対象書類名】明細書
【補正対象項目名】００４０
【補正方法】変更
【補正の内容】
【００４０】
また本発明によれば、再探索指示取得ステップが再探索指示を取得すると、再探索ステップで目的地に至る交通経路を再探索することができる。
また本発明によれば、再探索条件を入力して、再探索条件を加味した交通経路の再探索を行うようにすることができる。
また本発明によれば、少なくとも現時点で利用している交通機関の利用を開始した利用駅名、および利用駅において利用開始した交通機関の出発時刻を、再検索条件として入力することができる。
また本発明によれば、表示出力する交通経路に関する情報を、交通経路における利用駅名、およびその利用駅における出発時刻または到着時刻の少なくとも一つとすることができる。
また本発明によれば、探索された交通経路の表示を、通常表示から詳細表示に、またはその逆に切換えることができる。